(57)【要約】【課題】  磁気テープの巻き取った際に、磁気テープに生じることを抑えることができる磁気テープの巻取方法及び巻取装置を提供する。【解決手段】  リールＲを収容するカートリッジケースＣを設置し、磁気テープＴの先端部Ｔ１をテープ先端部搬送手段２２によって吸着することで保持するとともにテープ先端部搬送手段２２をカートリッジケースＣ内に挿入して先端部Ｔ１をハブＨの外周面に貼り付け、その後、リールＲを回動して磁気テープＴをハブＨに巻き取る際に、リールＲが回動し始めから所定時間だけ磁気テープＴの一部を吸着することによってハブＨに巻き取られる直前の磁気テープＴに張力を付加しながら巻き取る。【選択図】  図１
2006031783.tif 000002
【特許請求の範囲】
【請求項１】
磁気テープをリールのハブに巻き取る磁気テープの巻取方法であって、
前記リールを収容するカートリッジケースを設置し、前記磁気テープの先端部をテープ先端部搬送手段によって吸着することで保持するとともに前記テープ先端部搬送手段を前記カートリッジケース内に挿入して前記先端部を前記ハブの外周面に貼り付け、その後、前記リールを回動して前記磁気テープを前記ハブに巻き取る際に、前記リールが回動し始めと同期して所定時間だけ前記磁気テープの一部を吸着することによって前記ハブに巻き取られる直前の前記磁気テープに張力を付加しながら巻き取ることを特徴とする磁気テープの巻取方法。
【請求項２】
磁気テープをリールのハブに巻き取る磁気テープの巻取装置であって、
前記リールを収容するカートリッジケースを設置するケース設置部と、
前記磁気テープの先端部を吸着することで保持可能で、前記カートリッジケース内に挿入されて前記先端部を前記ハブの外周面に貼り付けるように駆動可能に構成されたテープ先端部搬送手段と、
前記リールを回動して磁気テープをハブに巻き取る際に、前記リールが回動し始めと同期して所定時間だけ前記磁気テープの一部を吸着することによって前記磁気テープに張力を付加するテープ吸着補助部とを備えたことを特徴とする磁気テープの巻取装置。
【発明の詳細な説明】
【技術分野】
【０００１】
本発明は、磁気テープカートリッジの組立工程で、カートリッジケース内のリールに磁気テープを巻き取る磁気テープの巻取方法及び巻取装置に関する。
【背景技術】
【０００２】
従来、コンピュータのデータバックアップ用の外部記録媒体として、磁気テープカートリッジが知られている。この種の磁気テープカートリッジは、磁気テープを巻装する単一のリールを収容するカートリッジケース本体を有し、該カートリッジケース本体の側壁部分に、磁気テープを引き出すための開口部が形成されている。
【０００３】
図４は、磁気テープをリールに巻き付けている状態を説明する図である。正円形の平面を有する円盤状のリール１００には同心の位置に円筒状のハブ１０１が平面から垂直に立設されている。磁気テープＴを巻き付けるときには、最初に、ハブ１０１の外周面にアルコール又は水などの液体を塗布し、磁気テープＴの端部を貼り付けたうえで、リール１００を周方向に回転させつつ磁気テープＴをハブ１０１の外周面に巻き重ねていく。そして、磁気テープＴを記憶容量に応じて所定の長さを所定の巻き込みテンションで巻き取りを行い、磁気テープＴを切断した後、切断された磁気テープＴの端部を端止めするか、あるいは、リーダテープを接合するといった端末処理を行う。
また、従来、下記の特許文献１に示すように、テープの先端部を濡らして、該先端部をリールに接触させて巻き取る装置がある。
【０００４】
【特許文献１】特表昭６３−５０１１０４号公報
【発明の開示】
【発明が解決しようとする課題】
【０００５】
ところで、磁気テープの巻き取り時において、磁気テープの先端部に液体を塗布する際に、該先端部と液体と間に微量の空気が入り込み、磁気テープとハブの外周面との間で気泡が発生し、この結果、磁気テープを巻き回した際にしわが生じることがある点で改善の余地があった。
【０００６】
本発明は、上記事情に鑑みてなされたもので、その目的は、磁気テープの巻き取った際に、ハブ外周面と磁気テープとの間に気泡が発生することに起因してしわが生じることを抑制できる磁気テープの巻取方法及び巻取装置を提供することにある。
【課題を解決するための手段】
【０００７】
本発明の上記目的は、磁気テープをリールのハブに巻き取る磁気テープの巻取方法であって、前記リールを収容するカートリッジケースを設置し、前記磁気テープの先端部をテープ先端部搬送手段によって吸着することで保持するとともに前記テープ先端部搬送手段を前記カートリッジケース内に挿入して前記先端部を前記ハブの外周面に貼り付け、その後、前記リールを回動して前記磁気テープを前記ハブに巻き取る際に、前記リールが回動し始めと同期して所定時間だけ前記磁気テープの一部を吸着することによって前記ハブに巻き取られる直前の前記磁気テープに張力を付加しながら巻き取ることを特徴とする磁気テープの巻取方法によって達成される。
【０００８】
本発明の磁気テープの巻取方法によれば、磁気テープの先端部をリールのハブの外周面に巻き取るときに、磁気テープの一部を吸着することで、磁気テープには巻き取り方向に沿う方向の張力が生じる。そして、磁気テープは上記張力によって適度に張り詰めた状態が維持されつつ、ハブの外周面に巻き取られる。すると、磁気テープの先端部の表面にしわが生じることが回避され、先端部に塗布された液体とハブの外周面との間に隙間ができなくなり、両者の間に空気が入り込みにくくなる。このため、磁気テープとハブの外周面との間で気泡が発生することに起因して磁気テープを巻き回した際にしわが生じることを抑制できる。
【０００９】
また、本発明の上記目的は、磁気テープをリールのハブに巻き取る磁気テープの巻取装置であって、前記リールを収容するカートリッジケースを設置するケース設置部と、前記磁気テープの先端部を吸着することで保持可能で、前記カートリッジケース内に挿入されて前記先端部を前記ハブの外周面に貼り付けるように駆動可能に構成されたテープ先端部搬送手段と、前記リールを回動して磁気テープをハブに巻き取る際に、前記リールが回動し始めと同期して所定時間だけ前記磁気テープの一部を吸着することによって前記磁気テープに張力を付加するテープ吸着補助部とを備えたことを特徴とする磁気テープの巻取装置によって達成される。
【００１０】
本発明の磁気テープの巻取装置によれば、磁気テープの先端部をリールのハブの外周面に巻き取るときに、テープ吸着補助部によって磁気テープの一部を吸着することで、磁気テープには巻き取り方向に沿って張力を生じさせることができる。そして、磁気テープを、上記張力によって適度に張り詰めた状態が維持させつつ、ハブの外周面に巻き取ることができる。すると、磁気テープの先端部の表面にしわが生じることを回避でき、先端部に塗布された液体とハブの外周面との間に隙間ができなくなり、両者の間に空気が入り込みにくくなる。このため、磁気テープとハブの外周面との間で気泡が発生することに起因して磁気テープを巻き回した際にしわが生じることを抑制できる。
【発明の効果】
【００１１】
本発明によれば、磁気テープの巻き取った際に、磁気テープにしわが生じることを抑えることができる磁気テープの巻取方法及び巻取装置を提供できる。
【発明を実施するための最良の形態】
【００１２】
以下、本発明の実施形態を図面に基づいて詳しく説明する。図１は、本発明に係る磁気テープの巻取装置を示す概略図である。
【００１３】
図１に示すように、巻取装置１０は、所謂パンケーキと呼称される磁気テープの原反から所定の長さに磁気テープを引き出して切断した後、切断された磁気テープを搬送して、カートリッジケースＣの内部に組み込まれているリールＲのハブＨに巻き取るための装置である。巻取装置１０には、カートリッジケースＣのリールＲのハブＨに、磁気テープＴの先端部Ｔ１を貼り付けるためのテープ貼付部２０が備えられている。
【００１４】
巻取装置１０は、垂直に立設されたパネルＰを有している。巻取装置１０は、磁気テープＴの搬送される方向に沿って順に、磁気テープＴを供給する磁気テープ供給部１１と、磁気テープ供給部１１から供給された磁気テープＴを搬送方向に沿って案内する複数のテープガイドＧと、搬送される磁気テープＴのテンションを調整するテンション調整部１５と、磁気テープＴの先端部Ｔ１をリールＲのハブＨに貼り付けて、ルールＲに磁気テープＴを巻き取るテープ貼付部２０とを備えて構成されている。
【００１５】
また、巻取装置１０は、ストックされたカートリッジＣをテープ貼付部２０に供給するカートリッジケース供給部１６を備えている。リールＲに磁気テープＴが巻回されたカートリッジケースＣが図示しないカートリッジケース排出部から排出される。
【００１６】
磁気テープ供給部１１は、テープ貼付部２０に磁気テープＴを供給する装置であり、磁気テープＴが巻回されたリールＲ１を有している。テープ供給部１１は、リールＲ１を、図示しないリール駆動装置によって所定の回転数で回転させ、テープ貼付部２０に向けて磁気テープＴを送り出す。
【００１７】
テープ貼付部２０は、磁気テープ供給部１１から供給された磁気テープＴの先端部Ｔ１をカートリッジケースＣの内部に収容されたリールＲのハブＨに貼り付けるための機構と、磁気テープＴをハブＨに巻き取るための機構とを有している。
【００１８】
テープ貼付部２０は、カートリッジケースＣを設置するケース設置部２１と、磁気テープ供給部１１から供給される磁気テープＴをカートリッジケースＣまで搬送するテープ先端部搬送手段２２と備えている。
【００１９】
ケース設置部２１では、カートリッジケースＣが、磁気テープＴの引出口である開口部を上記テープ先端部搬送手段２２側に向けた状態（図１においては、例えば、左下に向けた状態）で保持される構成である。
【００２０】
図２は、テープ先端部搬送手段の斜視図である。
図２に示すように、テープ先端部搬送手段２２は長方体形状を有する部材である。テープ先端部搬送手段２２は、図１に示すように、ケース設置部２１に設置されるカートリッジケースＣに対して概ね水平方向にずれた位置に設けられ、磁気テープ供給部１１から供給される磁気テープＴの先端部Ｔ１付近を吸着して搬送する機能を有する。テープ先端部搬送手段２２は、図示しないエアシリンダ等の駆動手段によって、カートリッジケースＣの内部へ開口部から挿入される構成である。
【００２１】
テープ先端部搬送手段２２の上面側には、カートリッジケースＣに近い先端側からスポンジ載置部２３と、第１の吸着部２４と、第２の吸着部２５が形成されており、第１の吸着部２４と第２の吸着部２５との間には設置部２６が形成されている。
【００２２】
スポンジ載置部２３は、断面視コの字状に形成され、スポンジ２８を取り付けられる。このスポンジ載置部２３は、例えば、メタノール、エタノール、ＩＰＡ（イソフラパノール）等の貼付用のアルコールをその内部に供給されるように構成されており、スポンジ２８には常に適量のアルコールが含浸するようになっている。
【００２３】
スポンジ２８は、スポンジ載置部２３から少し突出する高さを有する矩形状のものを用いる。スポンジ２８は、カートリッジケースＣに収容されたリールＲのハブＨにアルコールを塗布するものである。スポンジ２８としては、吸水性，保水性を有し、感掃除に柔軟性を失わず、ウェット時に寸法変化が起きない（膨潤率１０％以下が望ましい）、アルコール等の薬品に耐性（耐薬品性）があることが好ましい。例えば、特殊ウレタンを原料とするもの（アイオン株式会社製  製品名ソフラス等）が挙げられる。スポンジ２８は、乾燥時に柔軟性を有することで、アルコールに浸した直後であっても磁気テープＴの表面にアルコールを容易に塗布することができる。また、ウェット時に寸法変化を起こさないことで、アルコールを塗布する範囲がずれることなく、必要な箇所以外にアルコールが付着することがない。さらに、耐薬品性を有することで変形が無く、繰り返し使用することができる。
【００２４】
第１の吸着部２４には、複数の孔Ｈ１が開口している。孔Ｈ１は、テープ先端部搬送手段２２の内部に形成された単一の通路に連通している。この通路にホースや切替弁等を介して真空ポンプ及びコンプレッサが接続される。磁気テープＴの搬送時には、真空ポンプに接続された状態で、孔Ｈ１は磁気テープＴを吸着することで保持する。また、テープ先端部搬送手段２２は、コンプレッサに接続されるように切替弁で切り替えることで、孔Ｈ１から空気を排出し、磁気テープＴをテープ先端部搬送手段２２から離間させる構成である。
【００２５】
また、第２の吸着部２５にも同様に、複数の孔Ｈ２が開口している。孔Ｈ２は、テープ先端部搬送手段２２のブロック内で単一の通路に連通している。この通路にホースや切替弁等を介して真空ポンプ及びコンプレッサが接続される。磁気テープＴの搬送時には、真空ポンプに接続された状態で、孔Ｈ２は磁気テープＴを吸着することで保持する。
【００２６】
設置部２６には、設置面２６ａと、該設置面２６ａから第１の吸着部２４と第２の吸着部２５にそれぞれ連続する面取り部２６ｂとが形成されている。設置面２６ａの幅Ａを１１ｍｍ以下とし、長さＢを１９ｍｍ以上とし、深さＣを０．５ｍｍ以上とすることが好ましい。設置面２６ａの幅Ａを磁気テープＴの幅（１／２インチ＝１２．７ｍｍ）以下にすることで、カートリッジケースＣ内のリールフランジとの干渉を防止する。また、設置面２６ａの長さＢ及び深さＣを上記のように設定することで、設置面２６ａとハブＨとの接触時に、面取り部２６ｂがハブＨに接触するのを防止する。
【００２７】
テープ先端部搬送手段２２の形状は、本実施形態の形状に限定されない。例えば、テープ先端部搬送手段２２は、その内部に孔Ｈ１及び孔Ｈ２に連通する通路を形成することができる範囲において薄い板形状にしてもよく、カートリッジケースＣの開口部に挿通可能な大きさとなるように小さく形成できる。
【００２８】
図１に示すように、本実施形態の磁気テープの巻取装置１０は、磁気テープＴの搬送方向においてテープ搬送手段２２の近傍の上流側に一対のパスローラ１７，１８と、これらパスローラ１７，１８同士の間に配置されたテープ吸着補助部１２とを備えている。
【００２９】
テープ吸着補助部１２は、リールＲを回動して磁気テープＴをハブＨに巻き取る際に、リールＲが回動し始めてから所定時間だけ磁気テープＴの一部を吸着面１２ａに吸着させることによって磁気テープＴに張力を付加する。本実施形態において、テープ吸着補助部１２が、巻取工程で磁気テープＴを所定の位置で切断して、切断された端部を端末処理する接合台としての機能も兼ね備えた構成としている。しかし、テープ吸着補助部１２が、接合台とは別途に設けられた構成としてもよい。磁気テープは、テープ吸着補助部１２の吸着面１２ａに吸着されない場合には、上記吸着面１２ａに対して離間した状態でパスローラ１７，１８に搬送可能に支持されている。
【００３０】
以下、磁気テープの巻取工程を説明する。図３は、本実施形態の磁気テープの巻取工程を説明する図である。
図３（ａ）に示すように、先ず、磁気テープＴをテープ先端部搬送手段２２の孔Ｈ１及び孔Ｈ２に吸着させて保持する。そして、図３（ｂ）に示すように、テープ搬送手段２２に磁気テープＴを吸着保持させた状態で、該テープ搬送手段２２を移動させてカートリッジケースＣの内部に挿入する。そして、テープ搬送手段２２に取り付けられたスポンジ２８をカートリッジケースＣ内のハブＨに接触させる。こうして、ハブＨにスポンジ２８に含浸されたアルコールが塗布される。
【００３１】
ハブＨにアルコールを塗布した後、図３（ｃ）に示すように、テープ先端部搬送手段２２を更に移動させて設置部２６がハブＨの下方に位置させる。そして、図３（ｄ）に示すように、ハブＨを回転させつつ、テープ先端部搬送手段２２を上方に移動させて、例えば、０．００５ＭＰａの押付力で磁気テープＴをハブＨに押し付ける。すると、図３（ｄ）の右側に拡大して示すように、ハブＨに塗布されたアルコールが磁気テープＴに馴染むとともに、ハブＨの外周面に沿って磁気テープＴが押し付けられる。また、同時に、孔Ｈ２には磁気テープＴを吸着保持させた状態で、孔Ｈ１の真空吸着を解除して孔Ｈ１に圧縮エアを供給することで、磁気テープＴの先端部Ｔ１をハブＨに吹き付けて、ハブＨの外周面に貼り付ける。
【００３２】
また、図３（ｄ）に示すように、磁気テープＴをその先端部Ｔ１からハブＨに巻き付け、リールＲが回動し始めと同期して所定時間だけ磁気テープの一部をテープ吸着補助部１２の吸着面（図３において下面）１２ａに吸着する。こうすることで、図３（ｄ）に拡大して示すように、ハブＨに巻き取られる直前の磁気テープＴに矢印Ｆで示す張力が付加される。すると、巻き取られる磁気テープＴが巻き取られる方向とは反対向きの張力によって適度に張り詰めた状態が維持されつつ、ハブＨの外周面に巻き取られる。すると、磁気テープＴの先端部Ｔ１の表面にしわが生じることが回避され、先端部Ｔ１に塗布された液体とハブＨの外周面との間に隙間ができなくなり、両者の間に空気が入り込みにくくなる。このため、磁気テープＴとハブＨの外周面との間で気泡が発生することに起因して磁気テープＴを巻き回した際にしわが生じることを抑制できる。
【００３３】
リールＲが回動し始めてから磁気テープの一部をテープ吸着補助部１２の吸着面（図３において下面）１２ａに吸着する上記所定時間とは、磁気テープＴを先端部Ｔ１からハブＨの外周面に３０ｍｍ〜１５０ｍｍまで巻き取るのにかかる時間とする。
【００３４】
その後、図３（ｅ）に示すように、テープ先端部搬送手段２２を下方に移動させ、カートリッジケースＣから取り出す。こうして磁気テープＴをハブＨに貼り付ける作業と磁気テープＴをハブＨに巻き取り始める作業を終了する。
【００３５】
以上の実施形態のように、磁気テープＴの先端部Ｔ１をリールのハブの外周面に巻き取るときに、磁気テープＴの一部を吸着することで、磁気テープＴには巻き取り方向に沿う方向の張力が生じる。そして、磁気テープＴは上記張力によって適度に張り詰めた状態が維持されつつ、ハブＨの外周面に巻き取られる。すると、磁気テープＴの先端部Ｔ１の表面にしわが生じることが回避され、先端部Ｔ１に塗布された液体とハブＨの外周面との間に隙間ができなくなり、両者の間に空気が入り込みにくくなる。このため、磁気テープＴとハブＨの外周面との間で気泡が発生することに起因して磁気テープＴを巻き回した際にしわが生じることを抑制できる。
【図面の簡単な説明】
【００３６】
【図１】磁気テープの巻取装置を示す概略図である。
【図２】テープ先端部搬送手段の斜視図である。
【図３】本実施形態の磁気テープの巻取工程を説明する図である。
【図４】磁気テープをリールに巻き付けている状態を説明する図である。
【符号の説明】
【００３７】
１０    巻取装置
１２    テープ吸着補助部
２０    テープ貼付部
２２    テープ先端部搬送手段
Ｃ      （磁気テープの）カートリッジケース
Ｈ      ハブ
Ｒ      リール
Ｔ      磁気テープ
【図１】
2006031783.tif 000003
【図２】
2006031783.tif 000004
【図３】
2006031783.tif 000005
【図４】
2006031783.tif 000006